(57)【要約】【課題】  軽量で強度や耐久性や耐蝕性に優れ、高い弾性を備え、スプーン部やフォーク部がしなやかに弾性変形でき、細い部分や狭い部分であってもフィットして蟹の身等を綺麗に取出せ、構成簡素で、量産に適し、低廉で、握持し易く、力を加え易く、手指が疲れ難く、取扱い易く、使い勝手が良く、強度や弾性復元力等が増し、手指が滑り難く、印刷表示を握持部に簡単に施せ、宣伝広告等も可能な蟹用スプーンフォークを提供する。【解決手段】  握持部１とスプーン部２とフォーク部３とを強化プラスチックで一体的に形成し、握持部１は幅広で厚肉な略帯板状に形成し、スプーン部２は、先端がわに行くに従って漸次幅狭で且つ漸次肉薄となるよう形成し、フォーク部３は、フォーク基部３ａと、一対の爪突起３ｂとで形成し、握持部１とスプーン部２の一部とフォーク部３の一部に跨るよう細いリブ４を設け、握持部１の平坦部分に印刷表示５を施せるよう構成する。【選択図】図１
0003112738.tif 000002
【実用新案登録請求の範囲】
【請求項１】
手指で握持可能となるように形成される握持部と、この握持部の長さ方向一端に連設されると共に、蟹の身等を胴や脚等から取出し可能となるように形成されるスプーン部と、握持部の長さ方向他端に連設されると共に、蟹の身等を胴や脚等から取出し可能となるように形成されるフォーク部とからなり、しかも、これら握持部、スプーン部、フォーク部を強化プラスチックによって一体的に形成してなる蟹用スプーンフォークであって、握持部は、幅広で厚肉な略帯板状に形成され、握持部の長さ方向一端部分及び他端部分は、夫々先端がわに行くに従って漸次幅狭となるように形成され、スプーン部は、表面がわが窪むように形成されると共に、先端がわに行くに従って漸次幅狭で且つ漸次肉薄となるように形成され、フォーク部は、握持部に連設される略細長角棒状のフォーク基部と、このフォーク基部の先端に連設されると共に、表面がわ斜め上方に向って突出するような一対の爪突起とで形成され、握持部及びスプーン部の一部及びフォーク部の一部に跨るように、細いリブが設けられ、このリブは、幅方向にある左右側縁部分夫々に表面及び裏面から突出するよう形成され、握持部の表面や裏面の平坦部分に適宜印刷表示を施せるよう構成したことを特徴とする蟹用スプーンフォーク。
【考案の詳細な説明】
【技術分野】
【０００１】
本考案は、主に、タラバガニや、ズワイガニや、毛ガニや、ガザミ等の蟹の身やカニミソ等を食する時に使用される蟹用スプーンフォークに係り、しかも、取扱い易く、使い勝手が良く、耐久性に優れ、蟹の身やカニミソ等を殻から綺麗に取出せるように工夫した蟹用スプーンフォークに関するものである。
【背景技術】
【０００２】
従来、この種の蟹用スプーンフォークにあっては、例えば、金属製（例えば、ステンレス製）で、細長い握り部分の一端に細長いスプーン状部分を連設し、握り部分の他端に先割れ状の爪部分を連設したものが一般的に利用されている。
【０００３】
【特許文献１】なし
【考案の開示】
【考案が解決しようとする課題】
【０００４】
しかしながら、前述の如き従来から利用されている蟹用スプーンフォークにあっては、握り部分が手指で握持し難く、手指が疲れ易くなる難点があった。また、蟹の身やカニミソ等を殻から綺麗に取出し難い難点もあった。
【課題を解決するための手段】
【０００５】
そこで、本考案は、前述の如き難点等を解消できるようにすると共に、取扱い易く、使い勝手が良く、耐久性に優れ、しかも、構成が簡素で、軽量で、耐蝕性に優れ、量産に適し、比較的低廉に提供でき、宣伝広告等を施し易い蟹用スプーンフォークを提供すべく案出されたもので、具体的には、手指で握持可能となるように形成される握持部１と、この握持部１の長さ方向一端に連設されると共に、蟹の身等を胴や脚等から取出し可能となるように形成されるスプーン部２と、握持部１の長さ方向他端に連設されると共に、蟹の身等を胴や脚等から取出し可能となるように形成されるフォーク部３とからなり、しかも、これら握持部１、スプーン部２、フォーク部３を強化プラスチックによって一体的に形成してなる蟹用スプーンフォークＡであって、握持部１は、幅広で厚肉な略帯板状に形成され、握持部１の長さ方向一端部分及び他端部分は、夫々先端がわに行くに従って漸次幅狭となるように形成され、スプーン部２は、表面がわが窪むように形成されると共に、先端がわに行くに従って漸次幅狭で且つ漸次肉薄となるように形成され、フォーク部３は、握持部１に連設される略細長角棒状のフォーク基部３ａと、このフォーク基部３ａの先端に連設されると共に、表面がわ斜め上方に向って突出するような一対の爪突起３ｂとで形成され、握持部１及びスプーン部２の一部及びフォーク部３の一部に跨るように、細いリブ４が設けられ、このリブ４は、幅方向にある左右側縁部分夫々に表面及び裏面から突出するよう形成され、握持部１の表面や裏面の平坦部分に適宜印刷表示５を施せるよう構成する手段を採用した。
【考案の効果】
【０００６】
従って、本考案の蟹用スプーンフォークＡによれば、握持部１、スプーン部２、フォーク部３を強化プラスチックによって一体的に形成してあるので、蟹用スプーンフォークＡ自体が、軽量で、強度や耐久性や耐蝕性に優れたものとなると共に、高い弾性を備えたものとなり、実際の使用に際し、スプーン部２やフォーク部３がしなやかに弾性変形でき、細い部分や狭い部分であっても蟹の殻の内表面にフィットして蟹の身等を綺麗に取出せるようになる。しかも、構成が簡素で、量産に適し、比較的低廉に提供できるようになる。
【０００７】
また、握持部１は、幅広で厚肉な略帯板状に形成され、握持部１の長さ方向一端部分及び他端部分は、夫々先端がわに行くに従って漸次幅狭となるように形成されているので、握持部１を手指で握持し易くなり、手指の力を加え易くなると共に、手指が疲れ難いものとなる。
【０００８】
更に、スプーン部２は、表面がわが窪むように形成されると共に、先端がわに行くに従って漸次幅狭で且つ漸次肉薄となるように形成されるので、スプーン部２を蟹の脚等に刺し込み易くなり、蟹の殻の内表面にフィットし易くなって、蟹の身等を綺麗に取出せるようになる。すなわち、蟹の脚の身や、蟹の胴の身や、珍味とされる内臓や、甲羅の内がわの薄膜等も綺麗に取出せるようになり、取扱い易く、使い勝手が良い蟹用スプーンフォークＡとなる。
【０００９】
そして、フォーク部３は、握持部１に連設される略細長角棒状のフォーク基部３ａと、このフォーク基部３ａの先端に連設されると共に、表面がわ斜め上方に向って突出するような一対の爪突起３ｂとで形成されるので、より細い部分や狭い部分の蟹の身等を綺麗に取出せるようになる。
【００１０】
特に、握持部１及びスプーン部２の一部及びフォーク部３の一部に跨るように、細いリブ４が設けられ、このリブ４は、幅方向にある左右側縁部分夫々に表面及び裏面から突出するよう形成されているので、蟹用スプーンフォークＡ全体（特に、スプーン部２やフォーク部３）の強度及び耐久性をより高められるようになると共に、捩れ等に対する強度や弾性復元力等が増すようになる。更に、リブ４で手指が滑り難くなるため、握持部１がより握持し易いものとなる。
【００１１】
加えて、握持部１の表面や裏面の平坦部分に適宜印刷表示５を施せるよう構成したので、握持部１の表面や裏面の平坦部分に簡単に印刷表示５が施せるようになると共に、印刷表示５による宣伝広告等も可能となる。
【考案を実施するための最良の形態】
【００１２】
以下、本考案を図示例に基づいて説明すると、次の通りである。
図中Ａは、例えば、タラバガニや、ズワイガニや、毛ガニや、ガザミ（ワタリガニ）等の蟹の身やカニミソ等を食する時に使用されて、身やカニミソ等を綺麗に取出せるようにした本考案の蟹用スプーンフォークを示し、この蟹用スプーンフォークＡは、手指で握持可能となるようにその略中央部分に形成される握持部１と、この握持部１の長さ方向一端に連設されると共に、蟹の身やカニミソ等を胴や脚や甲羅等から綺麗に取出し可能となるように形成されるスプーン部２と、握持部１の長さ方向他端に連設されると共に、蟹の身等を胴や脚等から綺麗に取出し可能となるように形成されるフォーク部３とから構成されており、しかも、これら握持部１、スプーン部２、フォーク部３を弾力性に富み且つ強靭な強化プラスチックによって一体的に構成したものである。
そして、握持部１は、幅広で厚肉な略帯板状に形成され、握持部１の長さ方向一端部分及び他端部分は、先端がわに行くに従って漸次幅狭となるように夫々形成されている。
また、スプーン部２は、表面がわが窪むように形成されており、しかも、先端がわに行くに従って漸次幅狭で且つ漸次肉薄となるように形成されている。
更に、フォーク部３は、握持部１に連設される略細長角棒状のフォーク基部３ａと、このフォーク基部３ａの先端に連設されると共に、表面がわ斜め上方に向って突出するような一対の爪突起３ｂとで形成されている。
それから、握持部１及びスプーン部２の一部及びフォーク部３の一部に跨るように、比較的細いリブ４が設けられており、このリブ４は、幅方向にある左右側縁部分夫々に表面及び裏面から突出するよう形成されている。
加えて、握持部１の表面や裏面の平坦部分は、適宜印刷表示５を施せるよう構成されている。
【実施例】
【００１３】
前記握持部１は、例えば、その中央部分が手指で安定的に握持可能となるような幅広で厚肉な略帯板状に形成されており、また、握持部１の長さ方向一端部分及び他端部分は、スプーン部２やフォーク部３に無理なく滑らかに連設されるように、夫々先端がわに行くに従って漸次幅狭となるように形成されている。そして、握持部１の中央部分に於いて、例えば、その幅が約１８ｍｍ程度で、厚みが約５ｍｍ程度で、長さが約６０ｍｍ程度に設定され、大人でも子供でも手指で握り易く且つ力を加え易くなるように形成してある。
【００１４】
前記スプーン部２は、例えば、平面から見ると、先端がわに行くに従って漸次幅狭となるような平面略細長長円状を呈し（図２参照）、正面から見ると、先端がわに行くに従って漸次斜上向きとなるような湾曲状で、且つ、先端がわに行くに従って漸次肉薄となるように形成され（図３参照）、蟹の脚等に刺し込み易くなると共に、蟹の脚等の殻の内表面にフィットし易くなって、蟹の身を綺麗に取出せるように構成されている。尚、スプーン部２は、例えば、その最大幅が約１７ｍｍ程度で、最大厚みが約３ｍｍ程度で、先端がわの最小厚みが約１ｍｍ程度で、長さが約５５ｍｍ程度に設定され、必要な強度と、適度な弾性とが得られるように構成されている。
【００１５】
前記フォーク部３は、比較的狭い部分の蟹の身等を取出せるように構成されたもので、例えば、フォーク基部３ａは、その幅が約５ｍｍ程度で、厚みが約３ｍｍ程度で、長さが約４０ｍｍ程度の略細長角棒状に形成され、このフォーク基部３ａの先端に連設される一対の爪突起３ｂは、その長さが約８ｍｍ程度で、その最小厚みと最小幅が約１ｍｍ程度となるように設定され、必要な強度と、適度な弾性とが得られるように構成されている。
【００１６】
前記リブ４は、例えば、約１ｍｍ程度の幅と高さに形成され、握持部１及びスプーン部２の一部（基端がわ部分）及びフォーク部３の一部（基端がわ部分）に跨るように配されていると共に、幅方向にある左右側縁部分夫々に沿うように配されており、蟹用スプーンフォークＡ全体（特に、スプーン部２やフォーク部３）の強度及び耐久性がより高められるように構成されていると共に、捩れ等に対する強度や弾性復元力等が増すように構成されている。更に、リブ４によって手指が滑り難くなるように構成されている。
【００１７】
前記印刷表示５は、握持部１の表面や裏面の平坦部分に適宜印刷手段等によって設けられ、例えば、店名や、宣伝文句や、注意書きや、その他の適宜宣伝広告等が施せるように構成されている。尚、印刷表示５を適宜図柄として、外観上の体裁が良くなるように構成しても良い。
【００１８】
ところで、蟹用スプーンフォークＡの具体的構成、形状、寸法、材質、握持部１の具体的構成、形状、寸法、材質、スプーン部２の具体的構成、形状、寸法、材質、フォーク部３の具体的構成、形状、寸法、材質、フォーク基部３ａの具体的構成、形状、寸法、材質、爪突起３ｂの具体的構成、形状、寸法、材質、数、配設状態、リブ４の具体的構成、形状、寸法、材質、配設位置、印刷表示５の具体的構成、寸法、配設位置等は図示例のもの等に限定されることなく適宜自由に設定、変更できるものである。
【図面の簡単な説明】
【００１９】
【図１】本考案の蟹用スプーンフォークを例示する一部切欠斜視図である。
【図２】本考案の蟹用スプーンフォークを例示する平面図である。
【図３】本考案の蟹用スプーンフォークを例示する一部切欠正面図である。
【符号の説明】
【００２０】
Ａ    蟹用スプーンフォーク
１    握持部
２    スプーン部
３    フォーク部
３ａ  フォーク基部
３ｂ  爪突起
４    リブ
５    印刷表示
【図１】
0003112738.tif 000003
【図２】
0003112738.tif 000004
【図３】
0003112738.tif 000005